(57)【特許請求の範囲】
【請求項１】
着脱可能な記憶媒体を装着するためのポートと、
原稿を読み取って画像データを生成する読取手段と、
前記読取手段が生成した前記画像データを記憶する記憶手段と、
前記ポートと共に同一の操作パネルに設けられたボタンと当該ボタンが押されたことを検知する検知手段とを有し、前記画像データを前記記憶媒体に記憶させる処理の実行の指示を、当該ボタンが押されたことを前記検知手段が検知することによって受け付ける受付手段と、
前記記憶手段に記憶されている前記画像データを、前記読取手段が前記画像データを生成した後所定の時間内に前記受付手段が前記指示を受け付けた場合は前記ポートに装着されている前記記憶媒体に記憶させ、当該所定の時間内に前記受付手段が前記指示を受け付けなかった場合は当該画像データを当該記憶媒体に記憶させない、画像データ出力制御手段と、
を有することを特徴とする画像処理装置。
【請求項２】
前記記憶手段は、前記受付手段が前記指示を受け付けることなく前記所定の時間が経過した場合に、記憶している前記画像データを削除する、
請求項１記載の画像処理装置。
【請求項３】
前記記憶手段は、記憶している前記画像データが前記記憶媒体に記憶された後、当該画像データを削除する、
請求項１または請求項２記載の画像処理装置。
【請求項４】
着脱可能な記憶媒体を装着するためのポートと、
原稿を読み取って画像データを生成する読取手段と、
前記読取手段が生成した前記画像データの一部分を記憶する記憶手段と、
前記読取手段によって生成された前記画像データの一部分である第一の部分データを前記ポートの装着されている前記記憶媒体に記憶させ、前記画像データの残りの部分である第二の部分データを前記記憶手段に記憶させる、第一の記憶処理手段と、
前記ポートと共に同一の操作パネルに設けられたボタンと当該ボタンが押されたことを検知する検知手段とを有し、前記画像データを前記記憶媒体に記憶させる処理の実行の指示を、当該ボタンが押されたことを前記検知手段が検知することによって受け付ける受付手段と、
前記読取手段が前記画像データを生成した後所定の時間内に前記受付手段が前記指示を受け付けた場合に、前記第二の部分データを前記記憶媒体に記憶させる第二の記憶処理手段と、
を有することを特徴とする画像処理装置。
【請求項５】
前記記憶手段は、前記受付手段が前記指示を受け付けることなく前記所定の時間が経過した場合に、記憶している前記第二の部分データを削除する、
請求項４記載の画像処理装置。
【請求項６】
前記記憶手段は、記憶している前記第二の部分データが前記記憶媒体に記憶された後、当該第二の部分データを削除する、
請求項４または請求項５記載の画像処理装置。
【請求項７】
着脱可能な記憶媒体を装着するためのポートと、
原稿を読み取って画像データを生成する読取手段と、
前記読取手段が生成した前記画像データを暗号化する暗号化手段と、
前記暗号化手段によって暗号化された前記画像データを記憶する記憶手段と、
前記ポートと共に同一の操作パネルに設けられたボタンと当該ボタンが押されたことを検知する検知手段とを有し、前記画像データを前記記憶媒体に記憶させる処理の実行の指示を、当該ボタンが押されたことを前記検知手段が検知することによって受け付ける受付手段と、
前記記憶手段に記憶されている前記画像データを、前記読取手段が前記画像データを生成した後所定の時間内に前記受付手段が前記指示を受け付けた場合は当該画像データを復号するためのキーとともに前記ポートに装着されている前記記憶媒体に記憶させ、当該所定の時間内に前記受付手段が前記指示を受け付けなかった場合は当該画像データを当該記憶媒体に記憶させない、画像データ出力制御手段と、
を有することを特徴とする画像処理装置。
【請求項８】
着脱可能な記憶媒体を装着するためのポートと原稿を読み取って画像データを生成する読取手段と記憶手段とを有する画像処理装置において、前記読取手段によって生成された画像データを前記記憶媒体に保存する、画像データ保存方法であって、
前記ポートと共に同一の操作パネルにボタンを設けておき、
前記読取手段に生成させた画像データを前記記憶手段に記憶させ、
前記記憶手段に記憶させた画像データを、前記読取手段が当該画像データを生成した後所定の時間内に前記ボタンが押されることにより所定の指示を受け付けた場合は前記ポートに装着されている前記記憶媒体に記憶させ、当該所定の時間内に当該所定の指示を受け付けなかった場合は当該画像データを当該記憶媒体に記憶させない、
ことを特徴とする画像データ保存方法。
【請求項９】
着脱可能な記憶媒体を装着するためのポートと原稿を読み取って画像データを生成する読取手段と記憶手段とを有する画像処理装置において、前記読取手段によって生成された画像データを前記記憶媒体に保存する、画像データ保存方法であって、
前記ポートと共に同一の操作パネルにボタンを設けておき、
前記読取手段に生成させた画像データの一部分である第一の部分データを前記ポートの装着されている前記記憶媒体に記憶させ、残りの部分である第二の部分データを前記記憶手段に記憶させ、
前記記憶手段に記憶させた、画像データの前記第二の部分データを、前記読取手段が当該画像データを生成した後所定の時間内に前記ボタンが押されることにより所定の指示を受け付けた場合に、前記記憶媒体に記憶させる、
ことを特徴とする画像データ保存方法。
【請求項１０】
着脱可能な記憶媒体を装着するためのポートと原稿を読み取って画像データを生成する読取手段と記憶手段と前記ポートと共に同一の操作パネルに設けられたボタンとを有する画像処理装置のために用いられるコンピュータプログラムであって、
前記画像処理装置に、
前記読取手段に生成させた画像データを前記記憶手段に記憶させる処理を実行させ、
前記記憶手段に記憶させた画像データを前記ポートに装着されている前記記憶媒体に記憶させる処理を、前記読取手段が当該画像データを生成した後所定の時間内に前記ボタンが押されることにより所定の指示を受け付けた場合は実行させ、当該所定の時間内に当該所定の指示を受け付けなかった場合は実行させない、
ことを特徴とするコンピュータプログラム。
【請求項１１】
着脱可能な記憶媒体を装着するためのポートと原稿を読み取って画像データを生成する読取手段と記憶手段と前記ポートと共に同一の操作パネルに設けられたボタンとを有する画像処理装置のために用いられるコンピュータプログラムであって、
前記読取手段に生成させた画像データの一部分である第一の部分データを前記ポートの装着されている前記記憶媒体に記憶させ残りの部分である第二の部分データを前記記憶手段に記憶させる処理を実行させ、
前記記憶手段に記憶させた、画像データの前記第二の部分データを前記記憶媒体に記憶させる処理を、前記読取手段が当該画像データを生成した後所定の時間内に前記ボタンが押されることにより所定の指示を受け付けた場合に実行させる、
ことを特徴とするコンピュータプログラム。
【発明の詳細な説明】
【技術分野】
【０００１】
本発明は、画像処理装置およびその画像処理装置から外部の記憶装置への画像データの保存方法などに関する。
【背景技術】
【０００２】
近年、コピー、スキャナ、ファックス、およびドキュメントサーバなどの様々な機能を集約した、複合機またはＭＦＰ（Multi Function Peripherals）などと呼ばれる画像形成装置が普及している。最近は、さらにＵＳＢインタフェースを備えた画像形成装置が販売されている。この画像形成装置は、スキャナによって取り込んだ画像データをＵＳＢメモリなどの持ち運び可能な外部記憶装置（リムーバブルメディア）に記憶したり、ＵＳＢメモリに記憶されている画像データに基づいて画像を印刷したりできる。
【０００３】
従来、このような画像形成装置を使用したユーザがＵＳＢメモリを取り忘れるという問題があった。そこで、このような問題を解決するために、特許文献１、２に記載されるような方法が提案されている。
【０００４】
特許文献１の方法によると、画像形成装置は、印刷に際して、印刷対象の画像データが記録されたメモリが抜き取られていることを検出した場合に印刷の処理を開始する。その検出がされることなく所定時間経過した場合は、メモリが放置されていることを端末装置に通知する。
【０００５】
また、特許文献２の方法によると、画像形成装置は、専用モードから通常モードへの切替え時に、利用可能なリムーバブルメディアが装置に接続されているかを検知し、利用可能なリムーバブルメディアが検知されたときに、通常モードへの切替えを禁止する。または専用モードから通常モードへの切替え後に、利用可能なリムーバブルメディアが装置に接続されているかを検知し、利用可能なリムーバブルメディアが検知されたときに、操作部からの通常モードの操作を禁止する。これによって、専用モードを利用したユーザが通常モードへと切り替える際にリムーバブルメディアの取り忘れがあった場合に、通常モードへの切替えが禁止されまたは通常モードでの操作が禁止されるので、取り忘れをユーザに気づかせることができる。
【特許文献１】特開２００５−１５０９８０号公報
【特許文献２】特開２００６−２８７５３７号公報
【発明の開示】
【発明が解決しようとする課題】
【０００６】
ところが、特許文献２の方法では、ＵＳＢメモリを抜き忘れたユーザが専用モードから通常モードへの切替えを行わなかった場合は、ＵＳＢメモリの取り忘れに気付けない可能性がある。そうすると、例えば、機密情報を含む原稿をスキャンして得た画像データをＵＳＢメモリに保存しそのＵＳＢメモリを抜き忘れて立ち去った場合、そのＵＳＢメモリが第三者に持ち去られて、その機密情報が外部に漏洩してしまう恐れがある。
【０００７】
特許文献１の方法は、ＵＳＢメモリを抜いた後に目的の処理（印刷）を実行する。よって、スキャンして得た画像データをＵＳＢメモリに保存する処理を目的とする場合には適用できない。
【０００８】
本発明はこのような問題点に鑑み、スキャンして得た、ＵＳＢメモリなどのリムーバブルメディアへの保存対象の画像データの漏洩の危険性を従来よりも低減することを目的とする。
【課題を解決するための手段】
【０００９】
本発明の一形態に係る画像処理装置は、着脱可能な記憶媒体を装着するためのポートと、原稿を読み取って画像データを生成する読取手段と、前記読取手段が生成した前記画像データを記憶する記憶手段と、前記ポートと共に同一の操作パネルに設けられたボタンと当該ボタンが押されたことを検知する検知手段とを有し、前記画像データを前記記憶媒体に記憶させる処理の実行の指示を、当該ボタンが押されたことを前記検知手段が検知することによって受け付ける受付手段と、前記記憶手段に記憶されている前記画像データを、前記読取手段が前記画像データを生成した後所定の時間内に前記受付手段が前記指示を受け付けた場合は前記ポートに装着されている前記記憶媒体に記憶させ、当該所定の時間内に前記受付手段が前記指示を受け付けなかった場合は当該画像データを当該記憶媒体に記憶させない、画像データ出力制御手段と、を有する。
【００１０】
好ましくは、前記記憶手段は、前記受付手段が前記指示を受け付けることなく前記所定の時間が経過した場合に、記憶している前記画像データを削除する。
【００１１】
または、前記記憶手段は、記憶している前記画像データが前記記憶媒体に記憶された後、当該画像データを削除する。
【００１３】
本発明の他の形態に係る画像処理装置は、着脱可能な記憶媒体を装着するためのポートと、原稿を読み取って画像データを生成する読取手段と、前記読取手段が生成した前記画像データの一部分を記憶する記憶手段と、前記読取手段によって生成された前記画像データの一部分である第一の部分データを前記ポートの装着されている前記記憶媒体に記憶させ、前記画像データの残りの部分である第二の部分データを前記記憶手段に記憶させる、第一の記憶処理手段と、前記ポートと共に同一の操作パネルに設けられたボタンと当該ボタンが押されたことを検知する検知手段とを有し、前記画像データを前記記憶媒体に記憶させる処理の実行の指示を、当該ボタンが押されたことを前記検知手段が検知することによって受け付ける受付手段と、前記読取手段が前記画像データを生成した後所定の時間内に前記受付手段が前記指示を受け付けた場合に、前記第二の部分データを前記記憶媒体に記憶させる第二の記憶処理手段と、を有する。
【００１４】
好ましくは、前記記憶手段は、前記受付手段が前記指示を受け付けることなく前記所定の時間が経過した場合に、記憶している前記第二の部分データを削除する。
【００１５】
または、前記記憶手段は、記憶している前記第二の部分データが前記記憶媒体に記憶された後、当該第二の部分データを削除する。
【００１６】
本発明の他の形態に係る画像処理装置は、着脱可能な記憶媒体を装着するためのポートと、原稿を読み取って画像データを生成する読取手段と、前記読取手段が生成した前記画像データを暗号化する暗号化手段と、前記暗号化手段によって暗号化された前記画像データを記憶する記憶手段と、前記ポートと共に同一の操作パネルに設けられたボタンと当該ボタンが押されたことを検知する検知手段とを有し、前記画像データを前記記憶媒体に記憶させる処理の実行の指示を、当該ボタンが押されたことを前記検知手段が検知することによって受け付ける受付手段と、前記記憶手段に記憶されている前記画像データを、前記読取手段が前記画像データを生成した後所定の時間内に前記受付手段が前記指示を受け付けた場合は当該画像データを復号するためのキーとともに前記ポートに装着されている前記記憶媒体に記憶させ、当該所定の時間内に前記受付手段が前記指示を受け付けなかった場合は当該画像データを当該記憶媒体に記憶させない、画像データ出力制御手段と、を有する。
【発明の効果】
【００１７】
本発明によると、スキャンして得た、ＵＳＢメモリなどのリムーバブルメディアへの保存対象の画像データの漏洩の危険性を従来よりも低減できる。
【発明を実施するための最良の形態】
【００１８】
図１は画像処理システム１の全体的な構成の例を示す図、図２は画像形成装置２のハードウェアの全体構成の例を示す図、図３は操作パネル７０の構成の例を示す図、図４は制御部９２の構成の例を示すブロック図である。
【００１９】
図１に示すように、画像処理システム１は、画像形成装置２、端末装置３（３Ａ、３Ｂ、…）、ファックス端末４、デジタルカメラ５、デジタルビデオカメラ６、および通信回線ＮＴなどによって構成される。
【００２０】
画像形成装置２、端末装置３、およびファックス端末４は、それぞれ、通信回線ＮＴを介して互いに接続可能である。ＴＣＰ／ＩＰ（Transmission Control Protocol/Internet Protocol）などのプロトコルに基づいて各装置間でのデータの送受信が行われる。通信回線ＮＴとして、ＬＡＮ回線、インターネット、公衆回線、または専用線などが用いられる。または、ＵＳＢ（Universal Serial Bus）またはＥＨＣＩ（Enhanced Host Controller Interface）などを用いてつなぐこともできる。
【００２１】
ファックス端末４は、公衆電話回線を介して他のファックス端末と画像データ（以下、「画像データＤＧ」と記載することがある。）の送受信を行う。
【００２２】
端末装置３には、画像形成装置２と連携した様々な処理を行うためのプログラムおよびデータがインストールされている。端末装置３としてパーソナルコンピュータ、ワークステーション、またはＰＤＡ（Personal Digital Assistant）などが用いられる。
【００２３】
画像形成装置２は、印刷、コピー、スキャナ、ファックス、およびドキュメントサーバなどの様々な機能を集約した画像処理装置である。複合機またはＭＦＰ（Multi Function Peripherals）などと呼ばれることもある。
【００２４】
画像形成装置２は、ＵＳＢに対応したインタフェースを備えており、デジタルカメラ５またはデジタルビデオカメラ６を接続してそれらの装置から画像データＤＧを取得することできる。また、ＵＳＢメモリまたはコンパクトフラッシュ（登録商標）などの着脱および持運びが可能な外部メモリを接続でき、その外部メモリに保存されているデータを取得し、またはその画像形成装置２に保存されているデータを外部メモリに転送して記憶させることができる。本実施形態では、外部メモリとしてＵＳＢメモリＵＭを用いる。
【００２５】
図２に示すように、画像形成装置２は、自動原稿送装置１０、画像読取部２０、画像形成部３０、自動両面ユニット４０、給紙部５０、給紙キャビネット６０、操作パネル７０、ファクシミリユニット９０、通信インタフェースユニット９１、制御部９２、およびハードディスク９３などによって構成される。
【００２６】
自動原稿送装置１０は、原稿の給紙トレイ上にセットされた複数の原稿を１枚ずつ自動的に画像読取部２０のプラテンガラス上に設定された所定の原稿読取位置まで搬送する。画像読取部２０により原稿の画像が読み取られると、原稿の排紙トレイ上に排出する。また、自動原稿送装置１０には、原稿セットセンサー１１が設けられている。
【００２７】
原稿セットセンサー１１は、タクトスイッチを有しており、原稿がセットされたか否かを検出し、その結果を示す信号を制御部９２に送る。
【００２８】
画像読取部（スキャナ）２０は、原稿の読み取り位置に搬送された原稿の大きさに応じて原稿の画像を走査し、その入射光を電気信号に変換して、制御部９２に送る。また、画像読取部２０には、装置持上センサー２１が設けられている。
【００２９】
装置持上センサー２１は、自動原稿送装置１０が持ち上げられたか否かを磁気センサーによって検出し、その結果を示す信号を制御部９２に送る。
【００３０】
操作パネル７０は、ユーザが画像形成装置２に指示を与えるためのインタフェースである。
【００３１】
図３に示すように、操作パネル７０は、タッチパネル７１、キー入力部７２、ＵＳＢメモリ抜取ボタン７３、ＵＳＢ挿入口７４、および副電源スイッチ８０などによって構成される。
【００３２】
タッチパネル７１は、ユーザが画像形成装置２に対して指示を入力するための入力装置である。ユーザにメッセージなどを通知する表示装置としての役割も果たす。
【００３３】
キー入力部７２は、ユーザが数値を入力するためのテンキー、スキャナボタン７５、スタートボタン７６などによって構成される。
【００３４】
スキャナボタン７５は、ユーザがスキャンの機能を選択するためのボタンである。スキャナボタン７５が押されると、スキャンの設定を行うための画面がタッチパネル７１に表示される。スタートボタン７６は、印刷またはスキャンの開始を画像形成装置２に指示するためのボタンである。
【００３５】
ＵＳＢ挿入口７４は、ＵＳＢに対応した装置を接続するためのプラグ（ＵＳＢコネクタ）の挿入口である。本実施形態では、このＵＳＢ挿入口７４にＵＳＢメモリＵＭを挿し込む。ＵＳＢメモリ抜取ボタン７３は、ユーザがＵＳＢメモリＵＭを抜き取る際に押すボタンである。ＵＳＢメモリ抜取ボタン７３が押されると、ＵＳＢメモリＵＭに保存すべきデータがそのＵＳＢメモリＵＭに送られ、保存される。すなわち、ＵＳＢメモリＵＭへのデータの書き込みを指示するためのボタンである。
【００３６】
このＵＳＢメモリ抜取ボタン７３は、ＵＳＢ挿入口７４の近傍に設けられる。両者は、例えば、ユーザがＵＳＢメモリ抜取ボタン７３を押そうとしてＵＳＢメモリ抜取ボタン７３に目を向けたときに、ＵＳＢメモリ抜取ボタン７３とＵＳＢ挿入口７４またはそれに装着されているＵＳＢメモリＵＭとがユーザの視界に入る程度の近傍に（数ミリメートル〜１０センチメートル程度に離れて）設けられている。
【００３７】
副電源スイッチ８０は、省電力による動作のモードであるスリープモードへの移行をユーザが指示するためのスイッチである。
【００３８】
制御部９２は、図４に示すように、制御部９２は、ＣＰＵ９０１、ＲＯＭ９０２、ＲＡＭ９０３、および画像格納部９０４などによって構成される。
【００３９】
ＣＰＵ９０１は、ＲＡＭ９０３に読み出されたプログラムを実行し、画像形成装置２の全体的な制御を行う。ＲＯＭ９０２は、データの書き込みができず読み出しのみが可能な記憶装置であり、種々のデータを記憶する。
【００４０】
画像格納部９０４は、半導体メモリなどによって構成される記憶装置である。画像読取部２０から連続的に送られてくる画像データＤＧおよびＣＰＵ９０１によって展開された画像データＤＧを一旦記憶し、ハードディスク９３またはＵＳＢ挿入口７４に装着されているＵＳＢメモリＵＭにブロック単位でその画像データＤＧを送る。また、ハードディスク９３からブロック単位で画像データＤＧを読み出して一旦記憶し、画像形成部３０またはＵＳＢメモリＵＭに連続的に送り出す。
【００４１】
制御部９２は、これらの各装置の連携にって、画像データＤＧにシェーディング補正などの処理を施し、用紙の供給と同期して主走査ラインごとに読み出してレーザダイオードを駆動するための信号を出力する。
【００４２】
ファクシミリユニット９０は、公衆電話回線を介して他のファックス端末との間で画像データＤＧの送受信を行うためのインタフェースである。
【００４３】
通信インタフェースユニット９１は、通信回線ＮＴを介して端末装置３などの他の装置との間で通信を行うためのインタフェースである。ハードディスク９３は、画像データＤＧ、および画像形成装置２の各種の機能を実現するためのプログラムなどを保存する。
【００４４】
画像形成部３０は、周知の電子写真方式により画像を形成する装置であって、イエロー、マゼンダ、シアン、およびブラックの４色にそれぞれ対応した、感光体ドラム３１ａ、３１ｂ、３１ｃ、３１ｄ、露光走査ユニット３２ａ、３２ｂ、３２ｃ、３２ｄ、転写ベルト３３などのユニット、これらのユニットを保護する図示しない前扉カバー、および前扉センサー３４などによって構成される。
【００４５】
制御部９２から出力される駆動信号に基づいて、露光走査ユニット３２で生成されたレーザ光が感光体ドラム３１上に露光走査される。
【００４６】
前扉センサー３４は、公知のタクトスイッチによって前扉カバーが開放されたかどうかを検出し、その結果を示す信号を制御部９２に送る。
【００４７】
転写ベルト３３は、各色に対応する感光体ドラム３１上のトナー像を重ね合わせて、給紙部５０から搬送されてくる用紙に転写する。
【００４８】
給紙部５０は、用紙を収納しておくための給紙カセット５１、５３、用紙を送り出すためのピックアップローラ５２、および５４などによって構成されており、画像形成部３０に用紙を補給する。
【００４９】
給紙キャビネッ卜６０は、給紙部５０と同様、用紙を収納しておくための給紙カセット６１、６３、用紙を送り出すためのピックアップローラ６２、および６４などによって構成されており、給紙部５０を経由して画像形成部３０に用紙を補給する。
【００５０】
自動両面ユニット４０は、片面が印刷された用紙を裏表反転させるために、通紙経路上で一旦スイッチバックさせ、再度給紙させることによって両面印刷を可能にする。
【００５１】
図５は画像形成装置２の機能的な構成の例を示す図である。図５に示すように画像形成装置２は、ユーザデータ保存部１０１、コマンド受付部１０２、認証処理部１０３、ログアウト処理部１０４、表示制御部１０５、メモリ検出部１０６、スキャン実行指令部１０７、抜取検出部１０８、および画像データ保存削除処理部１０９などによって構成される。
【００５２】
これら各部の機能を実現するためのプログラムおよびデータは、ハードディスク９３にインストールされている。これらのプログラムおよびデータは必要に応じてＲＡＭ９０３に読み出される。そして、ＣＰＵ９０１によってプログラムが実行される。これらのプログラムおよびデータの一部または全部を、ＲＯＭ９０２に記憶させておいてもよい。なお、これら各部の機能を、ハードウェアのみによって実現してもよい。
【００５３】
ユーザデータ保存部１０１は、画像形成装置２を使用する各ユーザのユーザデータＤＵを保存する。各ユーザデータＤＵには、そのユーザのユーザ番号およびパスワードが示される。また、そのユーザが登録した、ログイン時の初期画面のデータ、および印刷またはスキャンなどの処理の条件（処理条件）が示される。登録された処理条件は、印刷などの処理に際して自動的に設定される。
【００５４】
コマンド受付部１０２は、ユーザからの指令、処理条件、ユーザ番号、およびパスワードなど、ユーザが操作パネル７０を用いて入力した内容を受け付ける。
【００５５】
認証処理部１０３は、ユーザが入力したユーザ番号およびパスワードに基づき、そのパスワードと、そのユーザ番号に対応するユーザデータＤＵに示されるパスワードとを照合することによって、ユーザの認証のための処理を行う。ログインが完了すると、画像形成装置２が、そのユーザのモード（ユーザモード）に設定される。
【００５６】
ユーザモードでは、そのユーザのユーザデータＤＵに基づいて、タッチパネル７１にそのユーザに合わせてカスタマイズされた画面が表示される。すなわち、印刷またはスキャンなどの機能が選択された際に、そのユーザデータＤＵに示される処理条件が予め設定された画面が表示される。
【００５７】
ログアウト処理部１０４は、ユーザによってログアウトの操作がなされたときに、そのユーザをログアウトさせるための処理を行う。また、所定のタイミングで自動的にログアウトのための処理を実行する。これについては、後に詳しく説明する。
【００５８】
表示制御部１０５は、ユーザが画像形成装置２にログインするための画面および処理条件を設定するための画面など、種々の画面をタッチパネル７１に表示させる。また、ユーザに対する種々のメッセージをタッチパネル７１に表示させる。
【００５９】
メモリ検出部１０６は、ＵＳＢメモリＵＭが画像形成装置２に接続されているか否かをチェックする。スキャン実行指令部１０７は、画像読取部２０にスキャンを実行させる。抜取検出部１０８は、ＵＳＢメモリＵＭがＵＳＢ挿入口７４から抜き取られたか否かをチェックする。
【００６０】
画像データ保存削除処理部１０９は、画像読取部２０によるスキャンによって得られた画像データＤＧをハードディスク９３に保存し、またはＵＳＢ挿入口７４に接続されたＵＳＢメモリＵＭに画像データＤＧを保存させるための処理を行う。また、ハードディスク９３およびＵＳＢメモリＵＭに保存された画像データＤＧを所定のタイミングで削除する。
【００６１】
画像形成装置２には、スキャンによって得た画像データＤＧをＵＳＢメモリＵＭに保存する処理に関して第一のモードおよび第二のモードが設けられている。以下、これら第一のモードおよび第二のモードのそれぞれの、画像形成装置２の処理の流れについて説明する。
【００６２】
図６は第一のモードにおける画像形成装置２の全体的な処理の流れを説明するためのフローチャート、図７はタッチパネル７１にメッセージが表示された操作パネルの例を示す図、図８は第二のモードにおける画像形成装置２の全体的な処理の流れを説明するためのフローチャートである。
【００６３】
ユーザが画像形成装置２にスキャンを実行させ、それによって得られた画像データＤＧをＵＳＢメモリＵＭに保存して持ち帰ろうとする場合の、第一のモードにおける画像形成装置２の処理の流れについて図６のフローチャートを参照しながら説明する。
【００６４】
図６において、ユーザが画像形成装置２に自らのユーザ番号およびパスワードを入力すると、認証処理部１０３は、そのユーザのログインのための処理を行う。ログインが完了すると（＃１０１）、表示制御部１０５は、そのユーザのユーザデータＤＵに基づいて、そのユーザに合わせてカスタマイズされた画面をタッチパネル７１に表示させる。
【００６５】
ユーザが、ＵＳＢ挿入口７４にＵＳＢメモリＵＭを挿し込み（＃１０２）、原稿をセットし、スキャンの機能を選択し、さらに、ＵＳＢメモリＵＭを保存先として指定してスタートボタン７６を押すと（＃１０３）、メモリ検出部１０６は、ＵＳＢメモリＵＭの接続をチェックする。正しく接続されていることが確認されると（＃１０４でＹｅｓ）、スキャン実行指令部１０７は、画像読取部２０にスキャンを実行させる（＃１０５）。ＵＳＢメモリＵＭの正常な接続が確認されなかった場合（＃１０４でＮｏ）、表示制御部１０５は、ＵＳＢメモリＵＭを挿し直すようにユーザに促すメッセージを、タッチパネル７１に表示させる。
【００６６】
画像データ保存削除処理部１０９は、スキャンによって得られた画像データＤＧをハードディスク９３に保存する（＃１０６）。スタートボタン７６が押されてから予め設定されているＵＳＢメモリＵＭの抜取りに関する時間（抜取制限時間）が経過するまでにＵＳＢメモリ抜取ボタン７３がユーザによって押されると（＃１０７でＮｏ、＃１０８）、画像データ保存削除処理部１０９は、ステップ＃１０６においてハードディスク９３に保存した画像データＤＧを、ＵＳＢ挿入口７４に接続されているＵＳＢメモリＵＭに送信し、保存する（＃１０９）。
【００６７】
保存が終わると、表示制御部１０５は、図７（ａ）に示すように、ＵＳＢメモリＵＭを抜き取ってもよいことをユーザに知らせかつ早く抜き取ることをユーザに促すメッセージを、タッチパネル７１に表示させる（＃１１０）。なお、保存が完了するまでにユーザによってＵＳＢメモリＵＭが抜き取られた場合は、図７（ｂ）に示すようなエラーのメッセージをタッチパネル７１に表示させる。
【００６８】
メッセージを確認すると、ユーザは、ＵＳＢメモリＵＭを抜き取る（＃１１１）。ユーザがログアウトの操作を行うと、ログアウト処理部１０４は、そのユーザをログアウトさせる（＃１１２）。
【００６９】
一方、スタートボタン７６が押されてから、ＵＳＢメモリ抜取ボタン７３が押されることなく抜取制限時間が経過すると（＃１０７でＹｅｓ）、画像データ保存削除処理部１０９は、ステップ＃１０６においてハードディスク９３に保存した画像データＤＧを削除することによって、画像データＤＧをＵＳＢメモリＵＭに保存できないようにする（＃１１３）。
【００７０】
次に、第二のモードにおける画像形成装置２の処理の流れについて図８のフローチャートを参照しながら説明する。
【００７１】
図８において、ユーザが画像形成装置２に自らのユーザ番号およびパスワードを入力すると、認証処理部１０３は、そのユーザのログインのための処理を行う。ログインが完了すると（＃２０１）、表示制御部１０５は、そのユーザのユーザデータＤＵに基づいて、そのユーザに合わせてカスタマイズされた画面をタッチパネル７１に表示させる。
【００７２】
ユーザがＵＳＢ挿入口７４にＵＳＢメモリＵＭを挿し込み（＃２０２）、スキャンの機能を選択し、ＵＳＢメモリＵＭを保存先として指定してスタートボタン７６を押すと（＃２０３）、メモリ検出部１０６は、ＵＳＢメモリＵＭの接続をチェックする。正しく接続されていることが確認されると（＃２０４でＹｅｓ）、スキャン実行指令部１０７は、画像読取部２０にスキャンを実行させる（＃２０５）。
【００７３】
画像データ保存削除処理部１０９は、スキャンによって得られた画像データＤＧを、そのままでは画像の再現が不可能な状態でＵＳＢメモリＵＭに送り、保存する（＃２０６）。本実施形態では、画像の再現が不可能なように、画像データＤＧの一部のみ、すなわち画像データＤＧの特定の領域のみをＵＳＢメモリＵＭに保存する。さらに、ＵＳＢメモリＵＭに保存した以外の、画像データＤＧの残りの部分をハードディスク９３に保存する（＃２０７）。
【００７４】
スタートボタン７６が押されてから抜取制限時間が経過するまでにＵＳＢメモリ抜取ボタン７３が押されると（＃２０８でＮｏ、＃２０９）、画像データ保存削除処理部１０９は、ステップ＃２０６においてＵＳＢメモリＵＭに保存した画像データＤＧの一部とステップ＃２０７においてハードディスク９３に保存した部分とによって画像の再現が可能となるように、ハードディスク９３に保存した方の部分をＵＳＢメモリＵＭに送り、保存する（＃２１０）。これによってＵＳＢメモリＵＭに保存された画像データＤＧがその内容が閲覧可能な１つのファイルとして完成する。
【００７５】
保存が終わると、表示制御部１０５は、ＵＳＢメモリＵＭを抜き取ってもよいことをユーザに知らせかつ早く抜き取ることをユーザに促すメッセージをタッチパネル７１に表示させる（＃２１１）。ユーザは、そのメッセージを確認すると、ＵＳＢメモリＵＭを抜き取る（＃２１２）。ユーザがログアウトの操作を行うと、ログアウト処理部１０４は、そのユーザをログアウトさせる（＃２１３）。
【００７６】
ステップ＃２０８において、スタートボタン７６が押されてから、ＵＳＢメモリ抜取ボタン７３が押されることなく抜取制限時間が経過すると（＃２０８でＹｅｓ）、ログアウト処理部１０４は、ログイン中のユーザを強制的にログアウトさせる（＃２１４）。
【００７７】
そのログアウトから、再ログインに関する制限時間（ログイン制限時間）までの間にユーザが再びログインの操作を行ってログインが完了した場合は（＃２１５でＹｅｓ）、ステップ＃２０８から処理を継続する。
【００７８】
ログイン制限時間内にログインがなされなかった場合（＃２１５でＮｏ）、画像データ保存削除処理部１０９は、ＵＳＢメモリＵＭおよびハードディスク９３に分割して保存した、画像データＤＧを削除する（＃２１６）。
【００７９】
以上説明したように、本実施形態では、スキャンで得た画像データＤＧをＵＳＢメモリＵＭに保存する場合に、すぐに画像データＤＧの全部分を保存するのではなく、画像データＤＧの全部分または一部分を一旦ハードディスク９３などの内部の記憶装置に保存する。そして、ユーザによってＵＳＢメモリ抜取ボタン７３が押されたときに、画像データＤＧの全部分がＵＳＢメモリＵＭに保存されるようにする。
【００８０】
ユーザがＵＳＢメモリ抜取ボタン７３を押さなければＵＳＢメモリＵＭに画像データＤＧが保存されないので、ユーザがＵＳＢメモリＵＭを抜き忘れてそれが第三者によって抜き取られても、そのＵＳＢメモリＵＭからその画像データＤＧが漏洩することはない。一方、ＵＳＢメモリ抜取ボタン７３が押されると画像データＤＧがＵＳＢメモリＵＭに保存されるが、その場合は、ＵＳＢメモリ抜取ボタン７３を押したことによってユーザがＵＳＢメモリＵＭの抜取りを意識するので、抜き忘れを防止できる。よって、ＵＳＢメモリＵＭからその画像データＤＧが漏洩する危険性を極めて少なくすることができる。
【００８１】
また、本実施形態では、ＵＳＢメモリ抜取ボタン７３をＵＳＢ挿入口７４の近傍に設けた。これによって、ＵＳＢメモリＵＭの抜取りの意識をさらに高めることができ、画像データＤＧが漏洩する危険性を低減できる。
【００８２】
また、ＵＳＢメモリ抜取ボタン７３が押されることなく抜取制限時間が経過した場合は、抜忘れと判断して、その画像データＤＧをハードディスク９３から削除する。これによって、画像データＤＧの漏洩の危険性をさらに低減できる。
【００８３】
第二のモードでは、画像の再現が不可能な状態で画像データＤＧの一部をＵＳＢメモリＵＭに保存し、残りの部分をハードディスク９３に保存する。そして、ＵＳＢメモリ抜取ボタン７３が押されたときにハードディスク９３に保存した、画像データＤＧの一部をＵＳＢメモリＵＭに送る。
【００８４】
これによって、ＵＳＢメモリＵＭからの画像データＤＧの漏洩の危険性を少なくできるとともに、ＵＳＢメモリ抜取ボタン７３が押されてからＵＳＢメモリＵＭの保存が完了するまでの時間を第一のモードの場合よりも早めることができる。
【００８５】
本実施形態では、画像の再現を不可能にする方法として、画像データＤＧの一部だけをＵＳＢメモリＵＭに保存するようにしたが、他の方法を用いてもよい。例えば、画像データＤＧを暗号化してＵＳＢメモリＵＭに保存してもよい。その場合は、ハードディスク９３に画像の再現を可能とするための復号キーを保存しておく。そして、ユーザによってＵＳＢメモリ抜取ボタン７３が押されたときに、その復号キーをＵＳＢメモリＵＭに保存する。または、暗号化した画像データＤＧを一旦ハードディスク９３に保存しておき、ユーザによってＵＳＢメモリ抜取ボタン７３が押されたときに、その画像データＤＧを復号キーとともにＵＳＢメモリＵＭに保存するようにしてもよい。その場合において、画像データ保存削除処理部１０９は、画像データＤＧを暗号化してＵＳＢメモリＵＭに保存させる処理を行い、ハードディスク９３およびＵＳＢメモリＵＭに復号キーを保存させる処理を行う。
【００８６】
本実施形態では、スタートボタン７６が押されてから抜取制限時間が経過するまでにＵＳＢメモリ抜取ボタン７３が押されなかった場合に（図６の＃１０７でＹｅｓ）、ハードディスクに画像データＤＧを、その漏洩を防ぐために削除した。これを削除しないようにしてもよい。その場合は、その後ＵＳＢメモリ抜取ボタン７３が押されても画像データＤＧをＵＳＢメモリＵＭに保存しないように画像データ保存削除処理部１０９によって制御する。
【００８７】
本実施形態では、ＵＳＢメモリＵＭへの画像データＤＧの保存の指示を入力するインタフェースとしてＵＳＢメモリ抜取ボタン７３を用いたが、キー入力部７２のいずれかのボタンで代用してもよい。または、タッチパネル７１に表示されるボタンで代用してもよい。
【００８８】
本実施形態では、画像データＤＧをハードディスク９３に保存するようにしたが、ＲＡＭ９０３、または画像格納部９０４などの他の記憶装置に保存するようにしてもよい。
【００８９】
その他、画像処理システム１および画像形成装置２の全体または各部の構成、機能、各データが示す内容、処理の内容または順序などは、本発明の趣旨に沿って適宜変更することができる。
【図面の簡単な説明】
【００９０】
【図１】本発明の一実施形態に係る画像処理システムの全体的な構成の例を示す図である。
【図２】画像形成装置のハードウェアの全体構成を示す図である。
【図３】操作パネルの構成の例を示す図である。
【図４】制御部の構成の例を示すブロック図である。
【図５】画像形成装置の機能的な構成の例を示す図である。
【図６】第一のモードにおける画像形成装置の全体的な処理の流れを説明するためのフローチャートである。
【図７】タッチパネルにメッセージが表示された操作パネルの例を示す図である。
【図８】第二のモードにおける画像形成装置の全体的な処理の流れを説明するためのフローチャートである。
【符号の説明】
【００９１】
２  画像処理装置（コンピュータ）
２０  画像読取部（読取手段）
７３  ＵＳＢメモリ抜取ボタン（受付手段、ボタン）
７４  ＵＳＢ挿入口（ポート）
９３  ハードディスク（記憶手段）
１０２  コマンド受付部（受付手段）
１０９  画像データ保存削除処理部（画像データ出力制御手段、第一の記憶処理手段、第二の記憶処理手段、暗号化手段）
ＤＧ  画像データ（第一の画像データ、第一の部分データ、第二の部分データ）
ＵＭ  ＵＳＢメモリ（記憶媒体）
【図１】
0005092641.tif 000002
【図２】
0005092641.tif 000003
【図３】
0005092641.tif 000004
【図４】
0005092641.tif 000005
【図５】
0005092641.tif 000006
【図６】
0005092641.tif 000007
【図７】
0005092641.tif 000008
【図８】
0005092641.tif 000009